(57)【要約】      （修正有）【課題】木材使用量を節約し、断熱性を損なわず、耐久性もよく、組付けを簡単にし、雨滴の侵入を防ぐためのシーリング作業を改良するログ材の新規な形状と気密部品の組合せを提供する。【解決手段】上端部台形状の楔形ログ材１を積み上げ、台形の上部の中央には支持溝２が設けてあり、下部の下向きの嵌合溝の中央には水止溝３が設けてあり、該楔形ログ材１は水止片４を支持溝２に嵌込み、上から同一型の楔形ログ材を積むと嵌合して水止片４の上部は嵌合溝に差し込まれる。水止片４により、嵌合溝に横から力がかかっても堅固に耐える。この嵌合では横から風雨が吹き付けても水止片４のために内側に浸透しにくい。水止片４で水の浸透を完全に食い止め、横からの押し圧に対しての強度を高めるる効果を発揮するよう組付ける。【選択図】図１
2007314933.tif 000002
【特許請求の範囲】
【請求項１】
上部を、上方に細くなる台形状或いは三角形状に形成するとともに、下部に該形状に嵌合する逆台形状或いは逆三角形状の嵌合溝を形成し、かつ該台形状或いは三角形状の頂上部に支持溝を設けるとともに、該嵌合溝の頂上部に上向きに水止溝を設けて成る水止楔形ログ材。
【請求項２】
上部を、上方に細くなる台形状或いは三角形状に、形成するとともに、下部に該形状に嵌合する逆台形状或いは逆三角形状の嵌合溝を形成した楔形ログ材を利用し、かつ該台形状或いは三角形状の頂上部に設けた支持溝に水止片の一片縁部を填め込むとともに、他片縁部を該溝に上向きに設けた水止溝に差し込む構成で多数を嵌合して壁を構成可能とする水止楔形ログ材と水止片による水止楔形ログ壁。
【請求項３】
上部を、上方に細くなる台型状或いは三角型状に、形成するとともに、下部に該形状に嵌合する逆台形状或いは逆三角形状溝を構成し、かつ該台形状或いは三角形状の頂上部に設けた支持溝に水止片の一片縁部を填め込むとともに、他片縁部を該溝に上向きに設けた水止溝に差し込む構成で多数を嵌合して構成した水止楔形ログ壁で構成したログハウス。
【請求項４】
少なくとも下片縁を鋭角に形成して成る請求項２又は３の何れかに記載の水止片。
【請求項５】
少なくとも下片縁を鋭角に形成した水止片の上片縁部を楔形ログ材の水止溝に所定深さまで填めて固定して成る水止片付楔形ログ材。
【請求項６】
多数を積み上げた楔形ログ材の端部を上下にＣ型チャンネルを被せて補強し端部の仕上がりを飾った水止楔形ログ材による仕切壁。
【請求項７】
外面に耐火的な外装材を固着して成る請求項１乃至３或いは５乃至６の何れかに記載の耐火性楔形ログ材。
【発明の詳細な説明】
【技術分野】
【０００１】
本発明は楔形ログ材とその水止片に関する。より詳細には断面の上方が連続する台型或いは三角形状で下部が該形状に嵌合する逆台型状或いは逆三角形状の嵌合溝であり、かつ該嵌合の台形状或いは三角形状の山の頂上部に設けた支持溝に水止片の一片縁部を填め込むとともに、他片縁部を該嵌合溝の頂上部に設けた水止溝に嵌合させつつ積み上げて構成する外壁材と仕切壁及びその壁で構成した家屋に関する。
【背景技術】
【０００２】
従来、上側に２条乃至３条の突条を設け、該突条に嵌まる２乃至３本の溝を下面側に設けたログ材の多数を積み上げて外壁を構成したログ材によるログハウスがあるが、世界的に公知であり、特許文献には掲載がない。参考文献より最も類似するものをあげる。
【特許文献１】特開昭６２−４５１１３
【特許文献２】特開昭６２−２０５６２６
【特許文献３】特開平１−２０４４２０
【特許文献４】特開平３−１０１２４７
【特許文献５】特開平４−９４５２５
【特許文献６】実開昭６１−１３７９５１
【特許文献７】実開平２−８２０２６
【特許文献８】特開平１１−４９５８０
【発明の開示】
【発明が解決しようとする課題】
【０００３】
木造建物の外壁として木製では丸太とそして丸太を加工した平板・ベニヤ板・ログ材等が利用されてきた。それらは、一長一短があり、例えば耐久性・断熱性・雨の浸透・木材の大量消費・組付けの困難その他それぞれ特有の欠点があった。例えば、公知のログ材では２又は３の凸条が上部にあり、それに嵌まる溝が２叉は３本、下部に形成してあるが、組みつけでは完全に嵌めにくく、数ミリの隙間が完成後にみられるが、木の性質でピッタリ嵌めることは至難であるし木材使用量はおおきい。本発明は該ログ材の欠点を解消するもので、木材使用量を節約し、断熱性を損なわず、耐久性もよく、組付けを簡単にし、雨滴の侵入を防ぐためのシーリング作業を改良するログ材の新規な形状と気密部品の組合せを提供せんとする。
【課題を解決するための手段】
【０００４】
本発明の請求項１は上部を、上方に細くなる台形状或いは三角形状に形成するとともに、下部に該形状に嵌合する逆台形状或いは逆三角形状の嵌合溝を形成し、かつ該台形状或いは三角形状の頂上部に支持溝を設けるとともに、該嵌合溝の頂上部に上向きに水止め溝を設けて成る水止め楔形ログ材であり、
請求項２は上部を、上方に細くなる台形状或いは三角形状に形成するとともに、下部に該形状に嵌合する逆台形状或いは逆三角形状溝を形成した楔形ログ材を利用し、かつ該台形状或いは三角形状の頂上部に設けた支持溝に水止片の一片縁部を填め込むとともに、他片縁部を該溝に上向きに設けた水止溝に差し込む構成で多数を嵌合して壁を構成可能とする水止楔形ログ材と水止片による水止楔形ログ壁であり、
請求項３は上部を、上方に細くなる台形状或いは三角形状に形成するとともに、下部に該形状に嵌合する逆の台形状或いは逆三角形状溝を形成し、かつ該台形状或いは三角形状の頂上部に設けた支持溝に水止片の一片縁部を填め込むとともに、他片縁部を該溝に上向きに設けた水止溝に差し込む構成で多数を嵌合して構成した水止楔形ログ壁で構成したログハウスであり、
請求項４は少なくとも上片縁を鋭角に形成して成る請求項２又は３の何れかに記載の水止片であり、
請求項５は少なくとも下片縁を鋭角に形成した水止め片の上片縁部を楔形ログ材の水止溝に所定深さまで填めて固定して成る水止片付楔形ログ材であり、
請求項６は多数を積み上げた楔形ログ材の端部を上下にＣ型チャンネルを被せて補強し端部の仕上がりを飾った水止楔形ログ材による仕切壁であり、
請求項７は外面に耐火的な外装材を固着して成る請求項１乃至３或いは請求項５又は６の何れかに記載の耐火性楔形ログ材である。
【発明の効果】
【０００５】
本発明により、（１）在来のログ材より木材使用量を削減し、（２）断熱性は巾の厚みで他の素材の外壁に劣ることなく、（３）塗料を撰べば耐久性があり、（４）雨滴の侵入を防ぎ、（５）一条と一溝で密着接合し易く、（６）湾曲し易い素材もログ材として柱にビス固定して利用可能とし、（７）運搬・組付け・組立等が軽作業になり、（８）耐火的な外装材を固着せしめた楔形ログ材は都市内でも利用可能になる効果がある。
【発明を実施するための最良の形態】
【０００６】
本発明の楔形ログ材は経年変化が僅かで、曲がらず腐りにくい木材を選び、木質が安定してから加工で削り出さなくてはならないが、間伐材などの若木の場合、熱処理を加えて木質の安定後に加工することで、歪みや湾曲を避けることが重要である。外気に触れる部分は紫外線から組織を守れる塗料の塗装が重要である。水止片は素材として合成樹脂・アルミ合金などで、外気で腐食せぬ素材が望ましい。経年変化しても強度があるものが好ましい。水止片の突出縁は嵌合時に縁先端が溝底に密着或いは刺さる突出寸法が望ましい。
本発明は外壁として在来のログ材のように組立てて低層の家屋を構成できるが、柱に取付ける外壁材にもできる。家屋内部の仕切壁には水止片を省いても利用できる。Ｃ型の固定枠に嵌め殺せるし、固定した下段の楔形ログ材に積み上げた多数の楔形ログ材のサイドから固定枠を端部に被して上部を固定すれば、簡単に仕切壁になるし、水止片を金属にして防音効果を高められる。該楔形ログ材の支持溝又は水止溝に水止片の一片縁を接着等により固定すれば、多数を取付ける場合には能率があがるし、水止め効果が大になる。
外面に耐火的な外装材例えば無機質の板材を固着させたり、塗装材等でカバーして防火壁を構成するのも好ましい。
【実施例１】
【０００７】
図１は本発明による１実施例の上端部台形状の楔形ログ材１を積み上げた部分垂直横断面図で、台形の上部の中央には支持溝２が設けてあり、下部の下向きの嵌合溝の中央には水止溝３が設けてあり、該楔形ログ材１は水止片４を支持溝２に嵌込み、上から同一型の楔形ログ材を積むと嵌合して水止片４の上部は嵌合溝に差し込まれる。水止片４により、嵌合部に横から力がかかっても堅固に耐える。この嵌合では横から風雨が吹き付けても水止片のために内側に浸透しにくい。在来の分厚いログ材では密着嵌合が不十分に成りやすく、雨滴の浸透を防ぐために、シーリングとか、或いは完全に浸透を止めるには中央溝に垂直に穿孔し、該垂直孔に鋼製ネジ棒を通して多数積んだログ材を上からナットで締めて隙間を縮める作業をし、中央溝に浸透した水分を該穿孔孔から下に流れる水の道を確保せざるをえなかったが、本発明は水止片４で水の浸透を完全に食い止め、横からの押し圧に対しての強度を高めるる効果を発揮する。叉、タイル材８を外側に固着して防火壁にできる。
【実施例２】
【０００８】
図２は上部三角形状の楔形ログ材１である。断面の小さい間伐材で２分の１の厚さの板を切削し中央で貼り合わせてある。片側に節があっても、他側に節がなければ、雨滴が浸透しない。水止片２は厚さは薄く、巾は支持溝２と水止溝３の深さを足した長さと等しいか、僅かに広くて食込む程度であり、嵌込縁の先端部は鋭角に形成してあるので、上からの荷重で木部に食込み、完全に密着嵌合し、水止めによい。支持溝側の縁も鋭角に形成して差し込み容易にし、木部に食込ませると、止水がより完全になる。
【実施例３】
【０００９】
図３は三角形状の楔形ログ材１の多数が左右のＣチャンネル枠５内に積み上げてあり、該枠の一方は柱６に固定してあり他方の枠５は上の天井と下の床に固定して仕切壁を構成してある。金属製の水止片を使用して防音性を高くできる。
【実施例４】
【００１０】
図４は楔形ログ材１の水止溝３に水止片４の一片縁部を接着材で固定してある。運搬時に水止片４が保護されるように嵌合溝５の両側下端の水準より突き出ない範囲で構成してある。該構成で取り付け或いは組みつけ作業が迅速化し、均質仕上げに効果があり、その結果水分の浸透阻止の効果も上がる。
【産業上の利用可能性】
【００１１】
積み上げて、家屋を構成できる点では小型の建物では従来のログ材と同様に利用できる。幅が薄くてもより防水機能の高い長所があり、外壁材として柱の外面に先割りしたビスによるビス止めが容易である。厚みが在来のログ材より薄くて、価格も安く、仕切壁として利用可能で、水止片に金属素材を用いて防音仕切壁としても利用し易い。巾を薄くできるので節部分を避けて美しいログ材を供給し易く、軽量化できるので、手作りハウスの外壁材として利用しやすい。外側を耐火的に構成したログ材は都市でも利用可能になる。叉、断面が小さくなるので間伐材を利用しやすく、森林を保護し、林業の振興に寄与する。
【図面の簡単な説明】
【００１２】
各図は本発明による一実施例の概略図で、
【図１】台形状の楔形ログ材を２本積み上げた部分垂直断面図、
【図２】三角形状楔形ログ材の一例の部分垂直断面図、
【図３】Ｃ型チャンネルで仕上げを飾った楔形ログ材による仕切壁の正面図
【図４】水止片の上縁を水止溝に接着材で固定した部分垂直断面図である。
【符号の説明】
【００１３】
１  楔形ログ材
２  支持溝
３  水止溝
４  水止片
５  嵌合溝
６  柱
７  Ｃチャンネル
８  タイル材
【図１】
2007314933.tif 000003
【図２】
2007314933.tif 000004
【図３】
2007314933.tif 000005
【図４】
2007314933.tif 000006
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
上部を、上方に細くなる台形状或いは三角形状に、形成するとともに、下部に該形状に嵌合する逆台形状或いは逆三角形状の嵌合溝を形成した水止ログ材を利用し、かつ該台形状或いは三角形状の頂上部に設けた支持溝に合成樹脂・アルミ合金などの素材の水止片の一片縁部を填め込むとともに、他片縁部を上部に嵌合する水止ログ材に上向きに設けた水止溝に差し込む構成で多数を嵌合して壁を構成可能とする水止ログ材と水止片による水止ログ壁。
【請求項２】
少なくとも下片縁を鋭角に形成して成る請求項１に記載の水止片。
【請求項３】
少なくとも下片縁を鋭角に形成した水止片の上片縁部を水止ログ材の水止溝に所定深さまで填めて固定して成る請求項１に記載の水止片付ログ材。
【手続補正２】
【補正対象書類名】明細書
【補正対象項目名】全文
【補正方法】変更
【補正の内容】
【発明の詳細な説明】
【技術分野】
【０００１】
本発明は水止ログ材とその水止片に関する。より詳細には断面の上方が連続する台型或いは三角形状で下部が該形状に嵌合する逆台型状或いは逆三角形状の嵌合溝であり、かつ該嵌合の台形状或いは三角形状の山の頂上部に設けた支持溝に水止片の一片縁部を填め込むとともに、他片縁部を該嵌合溝の頂上部に設けた水止溝に嵌合させつつ積み上げて構成する外壁材と仕切壁及びその壁で構成した家屋に関する。
【背景技術】
【０００２】
従来、上側に２条乃至３条の突条を設け、該突条に嵌まる２乃至３本の溝を下面側に設けたログ材の多数を積み上げて外壁を構成したログ材によるログハウスがあるが、世界的に公知であり、特許文献には掲載がない。参考文献より最も類似するものをあげる。
【特許文献１】特開昭６２−４５１１３
【特許文献２】特開昭６２−２０５６２６
【特許文献３】特開平１−２０４４２０
【特許文献４】特開平３−１０１２４７
【特許文献５】特開平４−９４５２５
【特許文献６】実開昭６１−１３７９５１
【特許文献７】実開平２−８２０２６
【特許文献８】特開平１１−４９５８０
【発明の開示】
【発明が解決しようとする課題】
【０００３】
木造建物の外壁として木製では丸太とそして丸太を加工した平板・ベニヤ板・ログ材等が利用されてきた。それらは、一長一短があり、例えば耐久性・断熱性・雨の浸透・木材の大量消費・組付けの困難その他それぞれ特有の欠点があった。例えば、公知のログ材では２又は３の凸条が上部にあり、それに嵌まる溝が２又は３本、下部に形成してあるが、組みつけでは完全に嵌めにくく、数ミリの隙間が完成後にみられるが、木の性質でピッタリ嵌めることは至難であるし木材使用量はおおきい。本発明は該ログ材の欠点を解消するもので、木材使用量を節約し、断熱性を損なわず、耐久性もよく、組付けを簡単にし、雨滴の侵入を防ぐためのシーリング作業を改良するログ材の新規な形状と気密部品の組合せを提供せんとする。
【課題を解決するための手段】
【０００４】
本発明の請求項１は上部を、上方に細くなる台形状或いは三角形状に形成するとともに、下部に該形状に嵌合する逆台形状或いは逆三角形状溝を形成した水止ログ材を利用し、かつ該台形状或いは三角形状の頂上部に設けた支持溝に合成樹脂又は金属素材の水止片の一片縁部を填め込むとともに、他片縁部を上部に嵌合する水止ログ材に上向きに設けた水止溝に差し込む構成で多数を嵌合して壁を構成可能とする水止ログ材と水止片による水止ログ壁であり、請求項２は少なくとも下片縁を鋭角に形成して成る請求項１に記載の水止片であり、請求項３は下片縁を鋭角に形成した水止片の上片縁部を水止ログ材の水止溝に所定深さまで填めて固定して成る請求項１に記載の水止片付ログ材である。
【発明の効果】
【０００５】
本発明により、（１）在来のログ材より木材使用量を削減し、（２）断熱性は巾の厚みで他の素材の外壁に劣ることなく、（３）塗料を撰べば耐久性があり、（４）雨滴の侵入を防ぎ、（５）一条と一溝で密着接合し易く、（６）湾曲し易い素材もログ材として柱にビス固定して利用可能とし、（７）運搬・組付け・組立等が軽作業になる効果がある。
【発明を実施するための最良の形態】
【０００６】
本発明の水止ログ材は経年変化が僅かで、曲がらず腐りにくい木材を選び、木質が安定してから加工で削り出さなくてはならないが、間伐材などの若木の場合、熱処理を加えて木質の安定後に加工することで、歪みや湾曲を避けることが重要である。外気に触れる部分は紫外線から組織を守れる塗料の塗装が重要である。水止片は素材として合成樹脂・アルミ合金などで、外気で腐食せぬ素材が望ましい。経年変化しても強度があるものが好ましい。水止片の突出縁は嵌合時に縁先端が溝底に密着或いは刺さる突出寸法が望ましい。
本発明は外壁として在来のログ材のように組立てて低層の家屋を構成できるが、柱に取付ける外壁材にもできる。家屋内部の仕切壁には水止片を省いても利用できる。Ｃ型の固定枠に嵌め殺せるし、固定した下段の水止ログ材に積み上げた多数の水止ログ材のサイドから固定枠を端部に被して上部を固定すれば、簡単に仕切壁になるし、水止片を金属にして防音効果を高められる。該水止ログ材の支持溝又は水止溝に水止片の一片縁を接着等により固定すれば、多数を取付ける場合には能率があがるし、水止め効果が大になる。
外面に耐火的な外装材例えば無機質の板材を固着させたり、塗装材等でカバーして防火壁を構成するのも好ましい。
【実施例１】
【０００７】
図１は本発明による１実施例の上端部台形状の水止ログ材１を積み上げた部分垂直横断面図で、台形の上部の中央には支持溝２が設けてあり、下部の下向きの嵌合溝の中央には水止溝３が設けてあり、該水止ログ材１は水止片４を支持溝２に嵌込み、上から同一型の水止ログ材を積むと嵌合して水止片４の上部は嵌合溝に差し込まれる。水止片４により、嵌合部に横から力がかかっても堅固に耐える。この嵌合では横から風雨が吹き付けても水止片のために内側に浸透しにくい。在来の分厚いログ材では密着嵌合が不十分に成りやすく、雨滴の浸透を防ぐために、シーリングとか、或いは完全に浸透を止めるには中央溝に垂直に穿孔し、該垂直孔に鋼製ネジ棒を通して多数積んだログ材を上からナットで締めて隙間を縮める作業をし、中央溝に浸透した水分を該穿孔孔から下に流れる水の道を確保せざるをえなかったが、本発明は水止片４で水の浸透を完全に食い止め、横からの押し圧に対しての強度を高める効果を発揮する。又、タイル材８を外側に固着して防火壁にできる。
【実施例２】
【０００８】
図２は上部三角形状の水止ログ材１である。断面の小さい間伐材で２分の１の厚さの板を切削し中央で貼り合わせてある。片側に節があっても、他側に節がなければ、雨滴が浸透しない。水止片２は厚さは薄く、巾は支持溝２と水止溝３の深さを足した長さと等しいか、僅かに広くて食込む程度であり、嵌込縁の先端部は鋭角に形成してあるので、上からの荷重で木部に食込み、完全に密着嵌合し、水止めによい。支持溝側の縁も鋭角に形成して差し込み容易にし、木部に食込ませると、止水がより完全になる。
【実施例３】
【０００９】
図３は三角形状の水止ログ材１の多数が左右のＣチャンネル枠５内に積み上げてあり、該枠の一方は柱６に固定してあり他方の枠５は上の天井と下の床に固定して仕切壁を構成してある。金属製の水止片を使用して防音性を高くできる。
【実施例４】
【００１０】
図４は水止ログ材１の水止溝３に水止片４の一片縁部を接着材で固定してある。運搬時に水止片４が保護されるように嵌合溝５の両側下端の水準より突き出ない範囲で構成してある。該構成で取り付け或いは組みつけ作業が迅速化し、均質仕上げに効果があり、その結果水分の浸透阻止の効果も上がる。
【産業上の利用可能性】
【００１１】
積み上げて、家屋を構成できる点では小型の建物では従来のログ材と同様に利用できる。幅が薄くてもより防水機能の高い長所があり、外壁材として柱の外面に先割りしたビスによるビス止めが容易である。厚みが在来のログ材より薄くて、価格も安く、仕切壁として利用可能で、水止片に金属素材を用いて防音仕切壁としても利用し易い。巾を薄くできるので節部分を避けて美しいログ材を供給し易く、軽量化できるので、手作りハウスの外壁材として利用しやすい。外側を耐火的に構成したログ材は都市でも利用可能になる。叉、断面が小さくなるので間伐材を利用しやすく、森林を保護し、林業の振興に寄与する。
【図面の簡単な説明】
【００１２】
各図は本発明による一実施例の概略図で、
【図１】台形状の水止ログ材を２本積み上げた部分垂直断面図、
【図２】三角形状水止ログ材の一例の部分垂直断面図、
【図３】Ｃ型チャンネルで仕上げを飾った水止ログ材による仕切壁の正面図
【図４】水止片の上縁を水止溝に接着材で固定した部分垂直断面図である。
【符号の説明】
【００１３】
１  水止ログ材        ２  支持溝        ３  水止溝
４  水止片            ５  嵌合溝        ６  柱
７  Ｃチャンネル      ８  タイル材
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
上部を、上方に細くなる台形状或いは三角形状に、形成するとともに、下部に該形状に嵌合する逆台形状或いは逆三角形状の嵌合溝を形成した水止ログ材を利用し、かつ該台形状或いは三角形状の頂上部に設けた支持溝に水止片の一片縁部を填め込むとともに、他片縁部を上部に嵌合する水止ログ材に上向きに設けた水止溝に差し込む構成で多数を嵌合して壁を構成可能とする水止ログ材と水止片付ログ壁。
【手続補正２】
【補正対象書類名】明細書
【補正対象項目名】全文
【補正方法】変更
【補正の内容】
【発明の詳細な説明】
【技術分野】
【０００１】  本発明は水止ログ材とその水止片に関する。より詳細には断面の上方が連続する台型或いは三角形状で下部が該形状に嵌合する逆台型状或いは逆三角形状の嵌合溝であり、かつ該嵌合の台形状或いは三角形状の山の頂上部に設けた支持溝に水止片の一片縁部を填め込むとともに、他片縁部を該嵌合溝の頂上部に設けた水止溝に嵌合させつつ積み上げて構成する外壁材と仕切壁及びその壁で構成した家屋に関する。
【背景技術】
【０００２】  従来、上側に２条乃至３条の突条を設け、該突条に嵌まる２乃至３本の溝を下面側に設けたログ材の多数を積み上げて外壁を構成したログ材によるログハウスがあるが、世界的に公知であり、特許文献には掲載がない。参考文献より最も類似するものをあげる。【特許文献１】特開昭６２−４５１１３
【特許文献２】特開昭６２−２０５６２６
【特許文献３】特開平１−２０４４２０
【特許文献４】特開平３−１０１２４７
【特許文献５】特開平４−９４５２５
【特許文献６】実開昭６１−１３７９５１
【特許文献７】実開平２−８２０２６
【特許文献８】特開平１１−４９５８０
【発明の開示】
【発明が解決しようとする課題】
【０００３】  木造建物の外壁として木製では丸太とそして丸太を加工した平板・ベニヤ板・ログ材等が利用されてきた。それらは、一長一短があり、例えば耐久性・断熱性・雨の浸透・木材の大量消費・組付けの困難その他それぞれ特有の欠点があった。例えば、公知のログ材では２又は３の凸条が上部にあり、それに嵌まる溝が２叉は３本、下部に形成してあるが、組みつけでは完全に嵌めにくく、数ミリの隙間が完成後にみられるが、木の性質でピッタリ嵌めることは至難であるし木材使用量はおおきい。本発明は該ログ材の欠点を解消するもので、木材使用量を節約し、断熱性を損なわず、耐久性もよく、組付けを簡単にし、雨滴の侵入を防ぐためのシーリング作業を改良するログ材の新規な形状と気密部品の組合せを提供せんとする。
【課題を解決するための手段】
【０００４】  本発明の請求項１は上部を、上方に細くなる台形状或いは三角形状に、形成するとともに、下部に該形状に嵌合する逆台形状或いは逆三角形状の嵌合溝を形成した水止ログ材を利用し、かつ該台形状或いは三角形状の頂上部に設けた支持溝に水止片の一片縁部を填め込むとともに、他片縁部を上部に嵌合する水止ログ材に上向きに設けた水止溝に差し込む構成で多数を嵌合して壁を構成可能とする水止ログ材と水止片付ログ壁である。
【発明の効果】
【０００５】  本発明により、（１）在来のログ材より木材使用量を削減し、（２）断熱性は巾の厚みで他の素材の外壁に劣ることなく、（３）塗料を撰べば耐久性があり、（４）雨滴の侵入を防ぎ、（５）一条と一溝で密着接合し易く、（６）湾曲し易い素材もログ材として柱にビス固定して利用可能とし、（７）運搬・組付け・組立等が軽作業になる効果がある。
【発明を実施するための最良の形態】
【０００６】  本発明の水止ログ材は経年変化が僅かで、曲がらず腐りにくい木材を選び、木質が安定してから加工で削り出さなくてはならないが、間伐材などの若木の場合、熱処理を加えて木質の安定後に加工することで、歪みや湾曲を避けることが重要である。外気に触れる部分は紫外線から組織を守れる塗料の塗装が重要である。水止片は素材として合成樹脂・アルミ合金などで、外気で腐食せぬ素材が望ましい。経年変化しても強度があるものが好ましい。水止片の突出縁は嵌合時に縁先端が溝底に密着或いは刺さる突出寸法が望ましい。  本発明は外壁として在来のログ材のように組立てて低層の家屋を構成できるが、柱に取付ける外壁材にもできる。家屋内部の仕切壁には水止片を省いても利用できる。Ｃ型の固定枠に嵌め殺せるし、固定した下段の水止ログ材に積み上げた多数の水止ログ材のサイドから固定枠を端部に被して上部を固定すれば、簡単に仕切壁になるし、水止片を金属にして防音効果を高められる。該水止ログ材の支持溝又は水止溝に水止片の一片縁を接着等により固定すれば、多数を取付ける場合には能率があがるし、水止め効果が大になる。  外面に耐火的な外装材例えば無機質の板材を固着させたり、塗装材等でカバーして防火壁を構成するのも好ましい。
【実施例１】
【０００７】  図１は本発明による１実施例の上端部台形状の水止ログ材１を積み上げた部分垂直横断面図で、台形の上部の中央には支持溝２が設けてあり、下部の下向きの嵌合溝の中央には水止溝３が設けてあり、該水止ログ材１は水止片４を支持溝２に嵌め込込込み、上から同一型の水止ログ材を積むと嵌合して水止片４の上部は嵌合溝に差し込まれる。水止片４により、嵌合部に横から力がかかっても堅固に耐える。この嵌合では横から風雨が吹き付けても水止片のために内側に浸透しにくい。在来の分厚いログ材では密着嵌合が不十分に成りやすく、雨滴の浸透を防ぐために、シーリングとか、或いは完全に浸透を止めるには中央溝に垂直に穿孔し、該垂直孔に鋼製ネジ棒を通して多数積んだログ材を上からナットで締めて隙間を縮める作業をし、中央溝に浸透した水分を該穿孔孔から下に流れる水の道を確保せざるをえなかったが、本発明は水止片４で水の浸透を完全に食い止め、横からの押し圧に対しての強度を高める効果を発揮する。叉、タイル材８を外側に固着して防火壁にできる。
【実施例２】
【０００８】  図２は上部三角形状の水止ログ材１である。断面の小さい間伐材で２分の１の厚さの板を切削し中央で貼り合わせてある。片側に節があっても、他側に節がなければ、雨滴が浸透しない。水止片２は厚さは薄く、巾は支持溝２と水止溝３の深さを足した長さと等しいか、僅かに広くて食込む程度であり、嵌込縁の先端部は鋭角に形成してあるので、上からの荷重で木部に食込み、完全に密着嵌合し、水止めによい。支持溝側の縁も鋭角に形成して差し込み容易にし、木部に食込ませると、止水がより完全になる。
【実施例３】
【０００９】 図４は水止ログ材１の水止溝３に水止片４の一片縁部を接着材で固定してある。運搬時に水止片４が保護されるように嵌合溝５の両側下端の水準より突き出ない範囲で構成してある。該構成で取り付け或いは組みつけ作業が迅速化し、均質仕上げに効果があり、その結果水分の浸透阻止の効果も上がる。
【産業上の利用可能性】
【００１０】  積み上げて、家屋を構成できる点では小型の建物では従来のログ材と同様に利用できる。幅が薄くてもより防水機能の高い長所があり、外壁材として柱の外面に先割りしたビスによるビス止めが容易である。厚みが在来のログ材より薄くて、価格も安く、仕切壁として利用可能で、水止片に金属素材を用いて防音仕切壁としても利用し易い。巾を薄くできるので節部分を避けて美しいログ材を供給し易く、軽量化できるので、手作りハウスの外壁材として利用しやすい。外側を耐火的に構成したログ材は都市でも利用可能になる。叉、断面が小さくなるので間伐材を利用しやすく、森林を保護し、林業の振興に寄与する。
【図面の簡単な説明】
【００１１】  各図は本発明による一実施例の概略図で、【図１】台形状の水止ログ材を２本積み上げた部分垂直断面図、
【図２】三角形状水止ログ材の一例の部分垂直断面図、
【図３】Ｃ型チャンネルで仕上げを飾った水止ログ材による仕切壁の正面図
【図４】水止片の上縁を水止溝に接着材で固定した部分垂直断面図である。
【符号の説明】
【００１２】          １  水止ログ材          ２  支持溝          ３  水止溝          ４  水止片          ５  嵌合溝          ６  柱          ７  Ｃチャンネル          ８  タイル材